(57)【要約】      （修正有）【課題】遠隔操作可能なインテリジェント洗浄装置を提供する。【解決手段】水容器、スプレー装置２、オゾン発生装置３、紫外線装置４及び超音波発生装置５中の少なくとも１つを含み、スプレー装置２及びオゾン発生装置３がいずれも水容器と連通し、紫外線装置４が前記水容器の内部に対向し、超音波発生装置５が前記水容器の外壁に設置され、スプレー装置２、オゾン発生装置３、紫外線発生装置４及び超音波発生装置５がいずれもＭＣＵ６に電気的に接続され、また、ＭＣＵ６に更に無線通信モジュール７が接続され、ＭＣＵ６が無線通信モジュール７を介して遠隔操作端末８に接続されている。そのため、遠隔操作を実現できるとともに、物品を一回にまとめて洗浄可能である。【選択図】図１
0003209376.tif 000002
【実用新案登録請求の範囲】
【請求項１】
水容器を含む遠隔操作可能なインテリジェント洗浄装置であって、
更にスプレー装置、オゾン発生装置、紫外線装置及び超音波発生装置中の少なくとも１つを含み、
前記スプレー装置とオゾン発生装置がいずれも前記水容器と連通し、
前記紫外線装置が前記水容器の内部に対向し、
前記超音波発生装置が前記水容器の外壁に設置され、
前記スプレー装置、オゾン発生装置、紫外線発生装置及び超音波発生装置がいずれもＭＣＵに電気的に接続され、
また、前記ＭＣＵに更に無線通信モジュールが接続され、
前記ＭＣＵが無線通信モジュールを介して遠隔操作端末に接続されていることを特徴とする遠隔操作可能なインテリジェント洗浄装置。
【請求項２】
前記無線通信モジュールとしてＩＥＥＥ  ８０２．１１Ｘ規格モジュールが用いられていることを特徴とする請求項１に記載の遠隔操作可能なインテリジェント洗浄装置。
【請求項３】
前記ＭＣＵは更に、前記ＭＣＵに電気的に接続する指令入力ボタンを設置した制御パネルに電気的に接続されていることを特徴とする請求項１に記載の遠隔操作可能なインテリジェント洗浄装置。
【請求項４】
前記スプレー装置はスプレーヘッドと水循環アセンブリとを含み、前記水循環アセンブリが主に４つの通路を有する四方向部材と加圧水ポンプとから構成され、
前記四方向部材が前記４つの通路を介してそれぞれ前記加圧水ポンプの入力端、出力端、給水弁及び排水弁と連通し、
前記給水弁と排水弁がそれぞれ給水管及び排水管と連通し、
前記水循環アセンブリが前記水容器の外底部に設置され、
前記スプレーヘッドが前記水容器の内底部に設置され、
前記スプレーヘッドの表面の中央部に複数の出水口が設置され、前記出水口の周縁に複数の吐水孔が設置され、
前記出水口が前記吐水孔及び前記四方向部材と連通し、前記吐水孔が傾斜して配置され、
前記加圧水ポンプ、給水弁及び排水弁がいずれも前記ＭＣＵに電気的に接続されていることを特徴とする請求項１に記載の遠隔操作可能なインテリジェント洗浄装置。
【請求項５】
前記オゾン発生装置はオゾン発生器、エアポンプ及び高圧発生器を含み、
前記オゾン発生器とエアポンプがエアパイプを介して連通し、
前記高圧発生器が前記オゾン発生器に電気的に接続され、
前記高圧発生器及びエアポンプがいずれも２２０Ｖ交流電源に接続され、
前記オゾン発生器が逆止め弁を介して前記水容器と連通し、前記エアポンプ、高圧発生器及びオゾン発生器がいずれも前記ＭＣＵに電気的に接続されていることを特徴とする請求項１に記載の遠隔操作可能なインテリジェント洗浄装置。
【請求項６】
前記水容器は開口箇所に上面カバーが配置されており、
前記紫外線発生装置は前記上面カバーにおける、前記水容器の内部に対向する一面に設置されていることを特徴とする請求項１に記載の遠隔操作可能なインテリジェント洗浄装置。
【請求項７】
前記紫外線装置として紫外線ランプが用いられており、
前記紫外線ランプが前記ＭＣＵに電気的に接続されていることを特徴とする請求項１又は６に記載の遠隔操作可能なインテリジェント洗浄装置。
【請求項８】
前記超音波発生装置は、継電器と、前記ＭＣＵに電気的に接続される超音波変換器駆動ユニットと、前記水容器の外壁に設置される複数の超音波変換器とを含み、
前記継電器及び超音波変換器がいずれも前記超音波変換器駆動ユニットに電気的に接続されていることを特徴とする請求項１に記載の遠隔操作可能なインテリジェント洗浄装置。
【請求項９】
更に活性炭が設置されていることを特徴とする請求項１に記載の遠隔操作可能なインテリジェント洗浄装置。
【考案の詳細な説明】
【技術分野】
【０００１】
本考案は多種の浄化機能を有する遠隔操作可能なインテリジェント洗浄装置に関する。
【背景技術】
【０００２】
生活の質が段々向上するに伴って、様々な洗浄装置が市場に登場してきている。しかしながら、既存の洗浄装置には、一般に機能が単一であって自動化程度が十分に高くないという欠点を有している。機能が単一であることで洗浄物を多方面且つ全方位で洗浄し浄化することができないが、自動化程度が十分に高くないことで、より多い時間がかかり、また、手動で操作すればそれぞれの浄化プロセスを行うタイミングと時間の長さを正確に制御できず、洗浄の効果を低減させてしまう。
【考案の概要】
【考案が解決しようとする課題】
【０００３】
従来の技術の不足に対して、本考案は、複数の独立した浄化機能装置を集積化し、自動制御機能を増加することによって、遠隔操作を実現して、洗浄待ちの物品の全部の浄化を一回にまとめて行うことを実現することができ、複数の装置を用いて数回に分けて洗浄し浄化することで時間がかかりコストが高いという問題を回避し、手動操作による様々な問題を回避する遠隔操作可能なインテリジェント洗浄装置を提供する。
【課題を解決するための手段】
【０００４】
上記目的を実現するために、本実用新案は以下のような技術的解決手段を採用する。
【０００５】
水容器を含み、更にスプレー装置、オゾン発生装置、紫外線装置及び超音波発生装置中の少なくとも１つを含み、前記スプレー装置とオゾン発生装置がいずれも前記水容器と連通し、前記紫外線装置が前記水容器の内部に対向し、前記超音波発生装置が前記水容器の外壁に設置され、前記スプレー装置、オゾン発生装置、紫外線発生装置及び超音波発生装置がいずれもＭＣＵに電気的に接続され、また、前記ＭＣＵに更に無線通信モジュールが接続され、前記ＭＣＵが無線通信モジュールを介して遠隔操作端末に接続されている遠隔操作可能なインテリジェント洗浄装置である。
【０００６】
遠隔操作可能なインテリジェント洗浄装置の作動原理は、まずＭＣＵに、それぞれに各種の浄化方式（スプレー、オゾン、紫外線及び超音波）を行うタイミング及び時間の長さを含む多組の洗浄浄化モードを予め設定し且つ記憶し、ユーザが遠隔操作端末によって前記ＭＣＵへ選択した洗浄浄化モードの対応する制御指令を送信し、前記ＭＣＵが前記無線通信モジュールによって制御指令を受信し、且つ選択した洗浄浄化モードに応じてスプレー装置、オゾン発生装置、紫外線装置及び超音波発生装置等を制御して指定した時間に起動させ、運行させることにある。
【０００７】
好ましくは、前記無線通信モジュールとしてＩＥＥＥ  ８０２．１１Ｘ規格のＷＩＦＩ（登録商標）モジュールが用いられている。
【０００８】
好ましくは、前記ＭＣＵは更に、前記ＭＣＵに電気的に接続する指令入力ボタンを設置した制御パネルに電気的に接続されている。予め設定した洗浄浄化モードに対応する指令入力ボタンを前記指令入力ボタンによって直接押して対応する洗浄浄化モードを選択することもでき、ユーザにより多い選択可能な操作方式を提供した。
【０００９】
好ましくは、前記スプレー装置はスプレーヘッドと水循環アセンブリを含み、前記水循環アセンブリが主に４つの通路を有する四方向部材と加圧水ポンプから構成され、前記四方向部材が前記４つの通路を介してそれぞれ前記加圧水ポンプの入力端、出力端、給水弁及び排水弁と連通し、前記給水弁と排水弁がそれぞれ給水管及び排水管と連通し、前記水循環アセンブリが前記水容器の外底部に設置され、前記スプレーヘッドが前記水容器の内底部に設置され、前記スプレーヘッドの表面の中央部に複数の出水口が設置され、前記出水口の周縁に複数の吐水孔が設置され、前記出水口が前記吐水孔及び前記四方向部材と連通し、前記吐水孔が傾斜して配置され、前記加圧水ポンプ、給水弁及び排水弁がいずれも前記ＭＣＵに電気的に接続されている。
【００１０】
該設計のスプレー装置によって水容器内に渦巻きを形成して洗浄待ちの物品を水容器中で転げ回らせることを実現でき、より望ましい洗浄目的を達成する。具体的な作動原理は、前記ＭＣＵが前記給水弁を制御して開かせて水源を流通させ、水が順に給水管、給水弁及び四方向部材を通過してスプレーヘッドの出水口から水容器中に注入され、前記ＭＣＵによって排水弁を閉め、水容器中の水が前記排水管から排出することを禁止し、水容器内での貯水が完了後、ＭＣＵの制御下で加圧水ポンプが起動し、前記加圧水ポンプが水容器から水を吸い出し且つ加圧した後スプレーヘッドの吐水孔から吐出し、吐水孔が傾斜して配置されているので、スプレーヘッドの頂部の周縁に所定の数量の吐水孔を設置することで渦巻き式の水流を形成可能であり、更に洗浄したり転げ回らせる目的を達成し、最適な清浄効果を図ることである。
【００１１】
好ましくは、前記オゾン発生装置はオゾン発生器、エアポンプ及び高圧発生器を含み、前記オゾン発生器とエアポンプがエアパイプを介して連通し、前記高圧発生器が前記オゾン発生器に電気的に接続され、前記高圧発生器及びエアポンプがいずれも２２０Ｖ交流電源に接続され、前記オゾン発生器が逆止め弁を介して前記水容器と連通し、前記エアポンプ、高圧発生器及びオゾン発生器がいずれも前記ＭＣＵに電気的に接続されている。
【００１２】
前記オゾン発生装置は、前記ＭＣＵが前記エアポンプを制御して前記オゾン発生器内へ空気をポンプ輸送させ、且つ前記高圧発生器及びオゾン発生器を制御して起動させるような過程で酸素を生成して水容器へ輸送することを説明する必要がある。前記高圧発生器の作用下でオゾン発生器内の空気が高圧電離を発生してオゾンを生成して、生成したオゾンが水容器内に入って水に溶けて毒素分解及び鮮度保持の作用を達成する。
【００１３】
好ましくは、前記水容器は開口箇所に上面カバーが配置されており、前記紫外線発生装置は前記上面カバーにおける、前記水容器の内部に対向する一面に設置されている。
【００１４】
更に、好ましくは、前記紫外線装置として紫外線ランプが用いられており、前記紫外線ランプは前記ＭＣＵに電気的に接続されている。紫外線照射を必要とする場合に、前記ＭＣＵは前記紫外線ランプを駆動して起動させる。
【００１５】
好ましくは、前記超音波発生装置は、継電器と、前記ＭＣＵに電気的に接続される超音波変換器駆動ユニットと、前記水容器の外壁に設置される複数の超音波変換器とを含み、前記継電器及び超音波変換器がいずれも前記超音波変換器駆動ユニットに電気的に接続されている。
【００１６】
前記ＭＣＵが前記超音波変換器駆動ユニットを駆動して起動させ、継電器が前記超音波変換器駆動ユニットに給電し、前記超音波変換器駆動ユニットが前記超音波変換器を駆動して縦波を生成させて水中で伝送させて水分子に対して壁破壊作用を果たさせ、それによってオゾンが充分に毒素に接触して強酸化分解を行う。
【００１７】
好ましくは、更に活性炭が設置されている。
【考案の効果】
【００１８】
本実用新案の有用な効果は、複数の独立した浄化機能装置を集積化し、自動制御機能を増加することによって、遠隔操作を実現して、洗浄待ちの物品の全部の浄化を一回にまとめて行うことを実現することができ、複数の装置を用いて数回に分けて洗浄し浄化することで時間がかかりコストが高いという問題を回避し、手動操作による様々な問題を回避することである。
【図面の簡単な説明】
【００１９】
【図１】本実用新案の構成模式図である。
【図２】図１におけるスプレー装置の全体構造模式図である。
【図３】図２における四方向部材とスプレーヘッドを分離した構造模式図である。
【図４】図２及び図３におけるスプレーヘッドの断面模式図である。
【図５】図１におけるスプレー装置の加圧水ポンプとＭＣＵを接続した回路模式図である。
【図６】図１におけるスプレー装置の給水弁とＭＣＵを接続した回路模式図である。
【図７】図１におけるスプレー装置の排水弁とＭＣＵを接続した回路模式図である。
【図８】図１におけるオゾン発生装置の接続模式図である。
【図９】図８におけるオゾン発生器とＭＣＵを接続した回路模式図である。
【図１０】図１における紫外線ランプの回路模式図である。
【図１１】図１及び図１０における紫外線ランプとＭＣＵを接続した回路模式図である。
【図１２】図１における超音波発生装置の接続模式図である。
【図１３】図１２における超音波変換器駆動ユニットとＭＣＵを接続した回路模式図である。
【考案を実施するための形態】
【００２０】
以下、図面を参照しながら本実用新案を更に説明し、本実施例はこの技術的解決手段を前提として詳しい実施形態及び具体的な操作過程を提供したが、本実用新案の保護範囲が本実施例に限定されるものではない。
【００２１】
図１に示すように、遠隔操作可能なインテリジェント洗浄装置は、水容器１を含み、更にスプレー装置２、オゾン発生装置３、紫外線装置４及び超音波発生装置５中の少なくとも２つを含み、前記スプレー装置２とオゾン発生装置３がいずれも前記水容器１と連通し、前記紫外線装置４が前記水容器１の内部に対向し、前記超音波発生装置５が前記水容器１の外壁に設置され、前記スプレー装置２、オゾン発生装置３、紫外線発生装置４及び超音波発生装置５がいずれもＭＣＵ６に電気的に接続され、また、前記ＭＣＵ６に更に無線通信モジュール７が接続され、前記ＭＣＵ６が無線通信モジュール７を介して遠隔操作端末８に接続されている。
【００２２】
遠隔操作可能なインテリジェント洗浄装置の作動原理は、まずＭＣＵに、それぞれに各種の浄化方式（スプレー、オゾン、紫外線及び超音波）を行うタイミング及び時間の長さを含む多組の洗浄浄化モードを予め設定し且つ記憶し、ユーザが遠隔操作端末によって前記ＭＣＵへ選択した洗浄浄化モードの対応する制御指令を送信し、前記ＭＣＵが前記無線通信モジュールによって制御指令を受信し、且つ選択した洗浄浄化モードに応じてスプレー装置、オゾン発生装置、紫外線装置及び超音波発生装置等を制御して指定した時間に起動させたり運行させることにある。
【００２３】
好ましくは、前記無線通信モジュール７としてＩＥＥＥ  ８０２．１１Ｘ規格のＷＩＦＩ（登録商標）モジュールが用いられている。
【００２４】
好ましくは、前記ＭＣＵ６は更に、前記ＭＣＵ６に電気的に接続する指令入力ボタンを設置した制御パネル９に電気的に接続されている。予め設定した洗浄浄化モードに対応する指令入力ボタンを前記指令入力ボタンによって直接押して対応する洗浄浄化モードを選択することもでき、ユーザにより多い選択可能な操作方式を提供した。
【００２５】
好ましくは、図２−４に示すように、前記スプレー装置２はスプレーヘッド２１と水循環アセンブリ２２を含み、前記水循環アセンブリ２２が主に４つの通路を有する四方向部材２２１と加圧水ポンプ２２２から構成され、前記四方向部材２２１が前記４つの通路を介してそれぞれ前記加圧水ポンプの入力端、出力端、給水弁２３及び排水弁２４と連通し、前記給水弁２３と排水弁２４がいずれも給水管及び排水管と連通し、前記水循環アセンブリ２２が前記水容器１の外底部に設置され、前記スプレーヘッド２１が前記水容器１の内底部に設置され、前記スプレーヘッド２１の表面の中央部に複数の出水口２１１が設置され、前記出水口２１１の周縁に複数の吐水孔２１２が設置され、前記出水口２１１が前記吐水孔２１２及び前記四方向部材２２１と連通している。図４に示すように、前記吐水孔は傾斜して配置され、傾斜角度が３０−４５°である。前記加圧水ポンプ、給水弁及び排水弁はいずれも前記ＭＣＵに電気的に接続され、回路構造がそれぞれ図５−図７に示すとおりである。
【００２６】
該設計のスプレー装置によって水容器内に渦巻きを形成して洗浄待ちの物品を水容器中で転げ回らせることを実現でき、より望ましい洗浄目的を達成することを説明する必要がある。具体的な作動原理は、前記ＭＣＵが前記給水弁を制御して開かせて水源を流通させ、水が順に給水管、給水弁及び四方向部材を通過してスプレーヘッドの出水口から水容器中に注入され、前記ＭＣＵによって排水弁を閉め、水容器中の水が前記排水管から排出することを禁止し、水容器内での貯水が完了後、ＭＣＵの制御下で加圧水ポンプが起動し、前記加圧水ポンプが水容器から水を吸い出し且つ加圧した後スプレーヘッドの吐水孔から吐出し、吐水孔が傾斜して配置されるので、スプレーヘッドの頂部の周縁に所定の数量の吐水孔を設置することで渦巻き式の水流を形成可能であり、更に洗浄したり転げ回らせる目的を達成し、最適な清浄効果を図ることである。
【００２７】
好ましくは、図８に示すように、前記オゾン発生装置３はオゾン発生器３１、エアポンプ３２及び高圧発生器３３を含み、前記オゾン発生器３１とエアポンプ３２がエアパイプ３４を介して連通し、前記高圧発生器３３が高圧線３６を介して前記オゾン発生器３１に電気的に接続され、前記高圧発生器３３とエアポンプ３２がいずれも２２０Ｖ交流電源に接続され、前記オゾン発生器３１が逆止め弁３５を介して前記水容器１と連通し、前記オゾン発生器、エアポンプ及び高圧発生器がいずれも前記ＭＣＵに電気的に接続されている。前記オゾン発生器と前記ＭＣＵを接続した回路構造は図９に示すとおりである。
【００２８】
前記オゾン発生装置は、前記ＭＣＵが前記エアポンプを制御して前記オゾン発生器内へ空気をポンプ輸送させ、且つ前記高圧発生器及びオゾン発生器を制御して起動させるような過程で酸素を生成して水容器へ輸送することを説明する必要がある。前記高圧発生器の作用下でオゾン発生器内の空気が高圧電離を発生してオゾンを生成して、生成したオゾンが水容器内に入って水に溶けて毒素分解及び鮮度保持の作用を達成する。
【００２９】
好ましくは、前記水容器は開口箇所に上面カバーが配置されており、前記紫外線発生装置は前記上面カバーにおける、前記水容器の内部に対向する一面に設置されている。紫外線照射を必要とする場合に、上面カバーをかけて前記紫外線発生装置を起動すれば水容器内へ紫外線を照射することができる。前記紫外線ランプの回路構造は図１０に示すとおりである。
【００３０】
更に、好ましくは、前記紫外線装置４として紫外線ランプが用いられており、前記紫外線ランプが前記ＭＣＵに電気的に接続されており、回路構造は図１１に示すとおりである。
【００３１】
好ましくは、図１２に示すように、前記超音波発生装置５は、継電器５１と、超音波変換器駆動ユニット５２と、前記水容器１の外壁に設置される複数の超音波変換器５３とを含み、前記継電器５１及び超音波変換器５３がいずれも前記超音波変換器駆動ユニット５２に電気的に接続されている。前記超音波変換器駆動ユニット５２は主に電力増幅ユニット５２１、フィルタリングユニット５２２、マッチングユニット５２３及びサンプリングユニット５２４を含み、順に電力増幅、フィルタリング、マッチング及びサンプリングを行って駆動信号を生成する。前記超音波変換器駆動ユニット５２とＭＣＵを接続した回路は図１３に示すとおりである。
【００３２】
前記ＭＣＵが前記超音波変換器駆動ユニットを駆動して起動させ、継電器が前記超音波変換器駆動ユニットに給電し、前記超音波変換器駆動ユニットが前記超音波変換器を駆動して縦波を生成させて水中で伝送させて水分子に対して壁破壊作用を果たさせ、それによってオゾンが充分に毒素に接触して強酸化分解を行うことを説明する必要がある。
【００３３】
好ましくは、更に活性炭が設置されている。
【００３４】
当業者にとって以上の技術的解決手段及び構想に基づいて様々な対応する変更及び変形を行うことができ、これらの変更及び変形は全部本実用新案登録請求の範囲に含まれるべきである。
【図１】
0003209376.tif 000003
【図２】
0003209376.tif 000004
【図３】
0003209376.tif 000005
【図４】
0003209376.tif 000006
【図５】
0003209376.tif 000007
【図６】
0003209376.tif 000008
【図７】
0003209376.tif 000009
【図８】
0003209376.tif 000010
【図９】
0003209376.tif 000011
【図１０】
0003209376.tif 000012
【図１１】
0003209376.tif 000013
【図１２】
0003209376.tif 000014
【図１３】
0003209376.tif 000015
【手続補正書】
【提出日】平成28年12月22日(2016.12.22)
【手続補正１】
【補正対象書類名】実用新案登録請求の範囲
【補正対象項目名】全文
【補正方法】変更
【補正の内容】
【実用新案登録請求の範囲】
【請求項１】
水容器を含む遠隔操作可能なインテリジェント洗浄装置であって、
更にスプレー装置、オゾン発生装置、紫外線装置及び超音波発生装置中の少なくとも１つを含み、
前記スプレー装置とオゾン発生装置がいずれも前記水容器と連通し、
前記紫外線装置が前記水容器の内部に対向し、
前記超音波発生装置が前記水容器の外壁に設置され、
前記スプレー装置、オゾン発生装置、紫外線装置及び超音波発生装置がいずれもＭＣＵに電気的に接続され、
また、前記ＭＣＵに更に無線通信モジュールが接続され、
前記ＭＣＵが無線通信モジュールを介して遠隔操作端末に接続されていることを特徴とする遠隔操作可能なインテリジェント洗浄装置。
【請求項２】
前記無線通信モジュールとしてＩＥＥＥ  ８０２．１１Ｘ規格モジュールが用いられていることを特徴とする請求項１に記載の遠隔操作可能なインテリジェント洗浄装置。
【請求項３】
前記ＭＣＵは更に、前記ＭＣＵに電気的に接続する指令入力ボタンを設置した制御パネルに電気的に接続されていることを特徴とする請求項１に記載の遠隔操作可能なインテリジェント洗浄装置。
【請求項４】
前記スプレー装置はスプレーヘッドと水循環アセンブリとを含み、前記水循環アセンブリが主に４つの通路を有する四方向部材と加圧水ポンプとから構成され、
前記四方向部材が前記４つの通路を介してそれぞれ前記加圧水ポンプの入力端、出力端、給水弁及び排水弁と連通し、
前記給水弁と排水弁がそれぞれ給水管及び排水管と連通し、
前記水循環アセンブリが前記水容器の外底部に設置され、
前記スプレーヘッドが前記水容器の内底部に設置され、
前記スプレーヘッドの表面の中央部に複数の出水口が設置され、前記出水口の周縁に複数の吐水孔が設置され、
前記出水口が前記吐水孔及び前記四方向部材と連通し、前記吐水孔が傾斜して配置され、
前記加圧水ポンプ、給水弁及び排水弁がいずれも前記ＭＣＵに電気的に接続されていることを特徴とする請求項１に記載の遠隔操作可能なインテリジェント洗浄装置。
【請求項５】
前記オゾン発生装置はオゾン発生器、エアポンプ及び高圧発生器を含み、
前記オゾン発生器とエアポンプがエアパイプを介して連通し、
前記高圧発生器が前記オゾン発生器に電気的に接続され、
前記高圧発生器及びエアポンプがいずれも２２０Ｖ交流電源に接続され、
前記オゾン発生器が逆止め弁を介して前記水容器と連通し、前記エアポンプ、高圧発生器及びオゾン発生器がいずれも前記ＭＣＵに電気的に接続されていることを特徴とする請求項１に記載の遠隔操作可能なインテリジェント洗浄装置。
【請求項６】
前記水容器は開口箇所に上面カバーが配置されており、
前記紫外線装置は前記上面カバーにおける、前記水容器の内部に対向する一面に設置されていることを特徴とする請求項１に記載の遠隔操作可能なインテリジェント洗浄装置。
【請求項７】
前記紫外線装置として紫外線ランプが用いられており、
前記紫外線ランプが前記ＭＣＵに電気的に接続されていることを特徴とする請求項１又は６に記載の遠隔操作可能なインテリジェント洗浄装置。
【請求項８】
前記超音波発生装置は、継電器と、前記ＭＣＵに電気的に接続される超音波変換器駆動ユニットと、前記水容器の外壁に設置される複数の超音波変換器とを含み、
前記継電器及び超音波変換器がいずれも前記超音波変換器駆動ユニットに電気的に接続されていることを特徴とする請求項１に記載の遠隔操作可能なインテリジェント洗浄装置。
【手続補正２】
【補正対象書類名】明細書
【補正対象項目名】０００５
【補正方法】変更
【補正の内容】
【０００５】
水容器を含み、更にスプレー装置、オゾン発生装置、紫外線装置及び超音波発生装置中の少なくとも１つを含み、前記スプレー装置とオゾン発生装置がいずれも前記水容器と連通し、前記紫外線装置が前記水容器の内部に対向し、前記超音波発生装置が前記水容器の外壁に設置され、前記スプレー装置、オゾン発生装置、紫外線装置及び超音波発生装置がいずれもＭＣＵに電気的に接続され、また、前記ＭＣＵに更に無線通信モジュールが接続され、前記ＭＣＵが無線通信モジュールを介して遠隔操作端末に接続されている遠隔操作可能なインテリジェント洗浄装置である。
【手続補正３】
【補正対象書類名】明細書
【補正対象項目名】００１３
【補正方法】変更
【補正の内容】
【００１３】
好ましくは、前記水容器は開口箇所に上面カバーが配置されており、前記紫外線装置は前記上面カバーにおける、前記水容器の内部に対向する一面に設置されている。
【手続補正４】
【補正対象書類名】明細書
【補正対象項目名】００２１
【補正方法】変更
【補正の内容】
【００２１】
図１に示すように、遠隔操作可能なインテリジェント洗浄装置は、水容器１を含み、更にスプレー装置２、オゾン発生装置３、紫外線装置４及び超音波発生装置５中の少なくとも２つを含み、前記スプレー装置２とオゾン発生装置３がいずれも前記水容器１と連通し、前記紫外線装置４が前記水容器１の内部に対向し、前記超音波発生装置５が前記水容器１の外壁に設置され、前記スプレー装置２、オゾン発生装置３、紫外線装置４及び超音波発生装置５がいずれもＭＣＵ６に電気的に接続され、また、前記ＭＣＵ６に更に無線通信モジュール７が接続され、前記ＭＣＵ６が無線通信モジュール７を介して遠隔操作端末８に接続されている。
【手続補正５】
【補正対象書類名】明細書
【補正対象項目名】００２９
【補正方法】変更
【補正の内容】
【００２９】
好ましくは、前記水容器は開口箇所に上面カバーが配置されており、前記紫外線装置は前記上面カバーにおける、前記水容器の内部に対向する一面に設置されている。紫外線照射を必要とする場合に、上面カバーをかけて前記紫外線装置を起動すれば水容器内へ紫外線を照射することができる。前記紫外線ランプの回路構造は図１０に示すとおりである。